(57)【特許請求の範囲】
【請求項１】
パイロンのベース上に立設された円錐形のパイロン本体の上部に着脱可能に外嵌されて係止される嵌合部および表示用ポールを挿脱可能に挿通させて支持する挿通孔を有する支持部とを一体に連成している嵌合部本体と、
この嵌合部本体の挿通孔内に挿通されて支持される表示用ポールと、
この嵌合部に索条体を着脱可能に係止させる取付耳と、
この表示用ポールの軸方向に所要の間隔を置いて複数の周溝をそれぞれ形成していて両  端部の横孔と、
この表示用ポールに着脱可能に装着される表示部と、
を具備していることを特徴とするパイロン装置。
【請求項２】
前記支持部は、逆三角形であり中空の支持部の厚さ方向に貫通している透孔を特徴とする請求項１記載のパイロン装置。
【請求項３】
前記支持部の凹部は支持部の正面と背面の両面にそれぞれ形成されることを特徴とする請求項１または２記載のパイロン装置。
【請求項４】
前記嵌合部本体は、前記パイロン本体の上部に着脱可能に外嵌された前記嵌合部をこのパイロン本体に固定させる固定具を具備していることを特徴とする請求項１〜３のいずれか１項に記載のパイロン装置。
【請求項５】
前記嵌合部本体は、前記挿通孔内に挿通された前記表示用ポールの挿通部を挿通孔内に固定させる固定具を具備していることを特徴とする請求項１〜４のいずれか１項に記載のパイロン装置。
【発明の詳細な説明】
【技術分野】
【０００１】
本発明の実施形態は、道路の車線規制や種々の工事現場の危険区域の表示等のために配置されるパイロンに装着されるパイロン装置に関する。
【背景技術】
【０００２】
近年、パイロンは、道路や種々の工事現場等以外にも多用されており、例えばお祭り等のイベントでの通行人の流れの整理、公道でのマラソン等スポーツ競技における走行線や折返し地点等の目印や選手の誘導、駐車場の整理や誘導・予約場所の確保、自動車教習所での車線規制用やその他の練習用等にも使用されており、その用途は拡大の一途を辿っている。
【０００３】
この種の従来のパイロンは、ポリプロピレン等のプラスチックやゴム等により構成され、例えば中空偏平角状のベース上に、ほぼ円錐形で中空のコーン部（本体部）を一体に立設する中空構造に構成されている（例えば、特許文献１，２参照）。
【０００４】
そして、従来のパイロンは、道路の車線規制用等では、単に道路の車線上に配置されるのみで、コーン部に例えば「車線規制」等の文字等を直接記載していない無地のものが多い。しかし、標識としての機能性を高めるためにコーン部の外面に、使用目的に対応した文字、例えば「駐車禁止」や「工事中」、「立入禁止」等を直接記載表示しているものもある。
【０００５】
このように、パイロンは、近年では一般に普及し、用途も拡大しているので、市街地で通行人等が目にする機会が多くなり、視認性も高いので、商品や店舗等の広告宣伝に使用すれば、その宣伝効果が高いという特徴があり、本発明者らはこの特徴に着目して本発明を発明した。
【先行技術文献】
【特許文献】
【０００６】
【特許文献１】特開２０１０−２１６２１４号公報
【特許文献２】特開２０１０−８４３３８号公報
【発明の概要】
【発明が解決しようとする課題】
【０００７】
しかしながら、この種の従来のパイロンは、一般に道路や工事現場等に設置されるものは、例えば高さが約７０ｃｍ前後で小さいので、コーン部を正面等から見たときの視認面積は必ずしも大きくない。
【０００８】
このために、コーン部外面に直接記載される文字や図形、記号等の大きさや表示数が限定されるので、パイロンの活用範囲は上記用途に限定され、そのままでは広告宣伝用等、他の用途に活用できないという課題がある。
【０００９】
本発明が解決しようとする課題は、パイロン自体の大形化を図ることなく、文字等が記載表示される表示部の拡大を図ることが可能であり、パイロンのさらなる用途の拡大を図ることが可能なパイロン装置を提供することにある。
【課題を解決するための手段】
【００１０】
本実施形態は、パイロンのベース上に立設されたほぼ円錐形のパイロン本体部の上部外周に、着脱可能に挿入されて係止されるリングと、このリングに配設されて、リングの径方向外方に突出するアームと、このアームに着脱可能に装着される表示部と、を具備している。
【図面の簡単な説明】
【００１１】
【図１】パイロンに、第１の実施形態に係るパイロン装置を装着したときの正面図。
【図２】パイロンに、第１の実施形態に係るパイロン装置を装着したときの平面図。
【図３】図１，図２で示す保持リングとアームの平面図。
【図４】図１のＩＶ−ＩＶ線断面図であって、（ａ）はその一例を示し、（ｂ）はその他例を示す。
【図５】第１の実施形態に係る複数のパイロン同士をロープにより連結した状態を示す正面図。
【図６】パイロンに、第２の実施形態に係るパイロン装置を装着したときの正面図。
【図７】図６で示すカバーを平面状に折り畳んだ状態を示す平面図。
【図８】本発明の第３の実施形態に係るパイロン装置をパイロンに装着したときの正面図。
【図９】図８で示すパイロン装置の一部省略正面図。
【図１０】図９で示すパイロン装置の平面図。
【図１１】図９で示す嵌合部本体の縦断面図。
【図１２】図９で示す嵌合部本体の側面図。
【図１３】（Ａ）は図９のＸＩＩＩＡ−ＸＩＩＩＡ断面図、（Ｂ）は図８で示す取付リングの正面図。
【図１４】図８で示すパイロン装置を複数並置したときの使用例を示す一部省略正面図。
【図１５】本発明の第４の実施形態に係るパイロン装置に係るパイロン装置の縦断面図。
【図１６】図１５で示すパイロン装置の複数を軸方向に積み重ねた状態の縦断面図。
【発明を実施するための形態】
【００１２】
以下、本発明の実施形態を図面に基づいて説明する。なお、複数の図面中、同一または相当部分には同一符号を付している。
【００１３】
（第１の実施形態）
図１は本発明の第１の実施形態に係るパイロン装置をパイロンに装着したときの正面図、図２は図１の平面図である。これらの図１，図２に示すようにパイロン装置１は、プラスチック製のパイロン２の頭部を含む上部外周に着脱可能に挿入されて、その途中に係止されるリングの一例である保持リング３を具備している。
【００１４】
パイロン２は、中空偏平角状のベース２ａ上に、中空でほぼ円錐形の本体部であるコーン部２ｂを一体に立設する中空構造に構成されている。ベース２ａは、その底部開口端外周に、ベース２ａよりも大きい相似形の外向フランジ２ｃを一体に同心状に形成している。コーン部２ｂは、その円錐形頂端部を図１中上方に凸のドーム状の頭部２ｄに形成している。このパイロン２に用いられるプラスチックとしては、ＰＰ（ポリプロピレン）、ＰＣ（ポリカーボネート）、ＰＥ（ポリエチレン）、ＰＶＣ（ポリ塩化ビニル）、ＥＶＡ（エチレン酢酸ビニル共重合体樹脂）のいずれかがある。
【００１５】
保持リング３は、パイロン２の頭部２ｄ、または、この頭部２ｄを含む上部外周に、着脱可能に外嵌される円筒状のリング本体３ａと、このリング本体３ａの内周部に一体的に形成された弾性を有する環状のリング内周部３ｂとを有する。リング内周部３ｂはパイロン２の頭部２ｄまたは上部外周に着脱可能に挿入されて、係止される円錐状の挿通孔３ｃを有する。
【００１６】
上記リング本体３ａは、剛性を有するＰＣ，ＰＶＣ，ＥＶＡ等のプラスチックにより形成され、リング内周部３ｂは弾性を有するＰＰやＰＥＴ（ポリエチレンテレフタレート）等のプラスチックまたはゴム等により形成されている。
【００１７】
図１〜図３に示すように保持リング３は、その外周面に、直径方向外方へ突出する円柱状または角柱状のアーム４を一体または一体的に突設している。
【００１８】
アーム４は、その突出先端部に、横方向（図１中正面から背面方向）へ貫通する貫通孔５ａを形成した小リング５を係止部として一体に形成している。これらアーム４と小リング５は、保持リング３のリング本体３ａに、このリング本体３ａと同一の樹脂を使用したモールド成形等により一体に形成される。なお、貫通孔５ａは縦方向に貫通してもよい。
【００１９】
小リング５の外径はアーム４の厚さよりも大きく形成されているので、アーム４との接合部との間には、アーム４の上面側の方が小リング５の円弧状頂端部上面よりも若干低い段部ｒａが形成されている。また、アーム４は、その厚さを、保持リング３のリング本体３ａの厚さ（軸方向長さ）よりも小さく形成されているので、リング本体３ａの外面との接合部にもアーム４の上面側の方がリング本体３ａの図１中上面よりも若干低い段部ｒｂが形成されている。
【００２０】
すなわち、アーム４の軸方向両端には、その図１中上面がリング本体３ａと小リング５の上面よりも若干低い一対の段部ｒａ，ｒｂが一体に形成されている。
【００２１】
アーム４は、これら一対の段部ｒａ，ｒｂ間において、表示部の一例である逆台形状の表示プレート６を着脱可能かつ垂下可能に取り付けている。
【００２２】
表示プレート６は、幕状や板状に形成され、例えば紙の印刷物または手書きの紙類の表裏両面を、この印刷物よりも図１中、上下左右方向に十分に大きく、かつ、弾性を有する表裏一対の透明の樹脂製フィルムによりラミネートすることにより形成され、弾性を有する。表示プレート６の印刷物は、その表裏両面に、「駐車禁止」や「立入禁止」等の外に、商品や店舗等の広告宣伝用の文字、例えば「本日開店」や「○○大安売り」等や図形、記号を記載表示してもよく、表示内容には限定されない。
【００２３】
表示プレート６は、その図１中上端部６ａを、図４（ａ）に示すようにアーム４の外周面に若干の間隙ｇを形成して緩く巻き付け、この巻き付け端部を例えば両面テープｔにより表示プレート６の本体側６ｂに接着している。これにより、表示プレート６はアーム４から垂下される。
【００２４】
この場合、表示プレート６は、アーム４に緩く巻き付けられているので、風を受けたときなどに、アーム４回りに回動できる。但し、図４（ｂ）に示すように表示プレート６を間隙ｇが形成されないようにアーム４の外周に固く巻き付けてもよい。この場合、表示プレート６が風を受けると、アーム４回りに回動しないが、風力により揺動する。
【００２５】
したがって、このパイロン装置１によれば、パイロン２の頭部２ｄ等上部に、保持リング３を単に被せることにより、パイロン２に簡単かつ迅速に装着することができる。しかもこのパイロン装置１は表示プレート６を具備しているので、その分、表示面積の拡大を図ることができる。このために、表示すべき情報量の増大を図ることができる。
【００２６】
例えば、コーン部２ｂの外周面に、直接「駐輪禁止」が記載表示された単数または複数のパイロン２を、店舗の駐輪禁止区域等に配置し、この後、このパイロン２の頭部に、表示プレート６に商品や店舗等の広告宣伝用の文字や図形、記号等を表示したパイロン装置１を装着することにより、規制と広告宣伝を同時に行うことができる。また、アーム４を保持リング３に複数本設け、これら複数のアーム４，４，…に複数の表示プレート６，６，…をそれぞれ設けることにより、これら表示プレート６，６，…により表示される情報量の増加を図ることができる。
【００２７】
そして、パイロン装置１は、その保持リング３を、パイロン２の頭部２ｄ等上部に、単に被せることによりパイロン２に装着できるので、パイロン２への着脱を簡単かつ迅速に行うことができるうえに、表示プレート６の向きを簡単かつ迅速に調整することができる。しかも、パイロン２の頭部２ｄ等上部外周に保持リング３を被せた後は、保持リング３の弾性を有するリング内周部３ｂが頭部２ｄ等に弾性的に密着するので、保持リング３の装着力の向上を図ることができる。これにより、表示プレート６が風によりはためき、回動または揺動した場合でも、保持リング３がパイロン２から外れたり、ずれることを未然に防止できる。さらに、表示プレート６が風により回動したり揺動することにより、この表示プレート６を見る者の注意を惹き付け、広告宣伝効果の一層の向上を図ることができる。
【００２８】
また、表示プレート６はアーム４に着脱可能に巻き付けられているので、パイロン２自体を交換せずに、季節等の時期や必要に応じて表示内容を変えた表示プレート６のみを適宜交換することにより、簡単かつ迅速に変更することができる。このために、宣伝効果のさらなる向上を図ることができる。
【００２９】
しかも、表示プレート６は、紙の印刷物または手書き紙面の表裏両面を、樹脂製透明フィルムにより単にラミネートしたものであるので、コスト低減を図ることができる。さらに、紙の印刷物の両面を樹脂製透明フィルムによりラミネートしているので、印刷物等の紙の耐侯性の向上を図ることができる。また、表示プレート６は、平面的であるので、この表示プレート６をアーム４から取り外した後、その複数枚を厚さ方向に重ねて保管することができる。このために、表示プレート６は保管が容易であるうえに保管スペースの節約を図ることができる。なお、表示プレート６はプラスチック製のプレートまたはフィルムに、文字や図形等を直刷印刷等表示したものでもよい。
【００３０】
そして、表示プレート６は、その上端部６ａをアーム４の一対の段部ｒａ，ｒｂ間に巻き付けているので、表示プレート６が風を受けたときに、アーム４の軸方向へずれることを、これら一対の段部ｒａ，ｒｂにより防止または低減できる。
【００３１】
図５は、このように構成された複数台のパイロン装置１，１同士を索条の一例である所要長の連結用ロープ７により連結した状態を示す。連結用ロープ７は弾性を有するロープ本体７ａの両端に鉤状のフック７ｂ，７ｃを固着しており、これらフック７ｂ，７ｃをアーム４の小リング５の貫通孔５ａに係脱可能に引掛け係止させるようになっている。
【００３２】
したがって、これら２台のパイロン２，２同士間の通行も連結用ロープ７により規制できるので、これら隣り合うパイロン２，２同士間に複数のパイロン２，２，…を並べる必要がない。このために、パイロン２の設置台数の削減を図ることができるうえに、パイロン２を並べる手間を省略できるので、コスト低減を図ることができる。
【００３３】
また、隣り合うパイロン２，２同士を、剛性を有する棒状体により連結した場合には、これら隣り合うパイロン２，２同士間の間隔は棒状体の長さにより規制され、調整できないが、本発明の連結用ロープ７は可撓性を有するので、隣り合うパイロン２，２同士間の間隔を適宜調整できる。
【００３４】
（第２の実施形態）
図６は第２の実施形態に係るパイロン装置１Ａの正面図である。このパイロン装置１Ａは、パイロン２の外面に、上記図１〜図５で示すパイロン装置１と共に、表示カバー８を着脱可能に装着した点に特徴がある。
【００３５】
図７にも示すように表示カバー８は、パイロン２のコーン部２ｂ外周に着脱可能に被せられるＰＥＴ製等の円錐台状のカバー本体８ａを有する。カバー本体８ａは、その軸方向両端を開口させた筒状に形成され、保持リング３が係止されるパイロン２の頭部２ｄ等の係止位置よりも図６中下方にてコーン部２ｂ外周に被せられ、カバー本体８ａの底部開口端がパイロン２のベース２ａの上面上に当接して係止されている。
【００３６】
カバー本体８ａは、折畳可能の樹脂、例えばＰＥＴ等により形成されており、その円錐台形筒状の正面と背面とを密着させるように押し潰すことにより平面的に折畳可能である。さらに、カバー本体８ａの内面には、円錐台形の図７中左右一対の母線ｍａ，ｍｂに沿って、図示省略の凹溝をそれぞれ形成しており、薄く折畳可能に構成されている。
【００３７】
そして、このカバー本体８ａは、その平面的に折り畳まれたときの正面と背面の両側またはその一方の図中下部に、樹脂製の矩形の透明ポケット９を配設している。透明ポケット９はその内部に、紙の印刷物や手書きの紙面、またはこれら両面をラミネートした表示物１０を出入可能に収容し、透明フィルムを通してこの表示物１０を外部から見せるようになっている。透明ポケット９は、カバー本体８ａの外面上に、樹脂製の矩形の透明フィルムの図中上辺と左右辺を固着し、下辺、すなわち下端を出入口９ａとして開口させている。この出入口９ａには、その表裏両面に、例えば、凹部と凸部とを互いに着脱可能に嵌合させることにより開閉する複数の開閉部材９ｂや着脱可能の面ファスナー等を部分的に設けている。
【００３８】
また、表示カバー８は、カバー本体８ａの正面と背面の両側、または、その一面に、上記透明ポケット９の上方にて、ネームプレート取付部１１を設け、開閉可能に形成している。
【００３９】
ネームプレート取付部１１は、矩形の紙の印刷物やそのラミネート加工物等の表示物１０の角部を出入させて、支持する複数の三角コーナ１２，１２を、表示物１０の複数の角部を対角線上で対向させる位置に配設している。
【００４０】
したがって、この第２の実施形態によれば、表示カバー８に設けた正面側と背面側で一対の透明ポケット９とネームプレート取付部１１とにより、表示物１０に、広告宣伝用の文字、図形をさらに表示できるので、表示物１０の表示量のさらなる増大を図ることができる。これにより、パイロン２のさらなる用途拡大を図ることができる。
【００４１】
また、透明ポケット９とネームプレート取付部１１は表示物１０を着脱可能に収容し、または取り付けるので、表示カバー８自体を交換せずに、表示物１０のみを簡単かつ迅速に交換することができる。しかも、透明プレート９は、その下端のみを出入口９ａとして開口させ、その他の上端と左右両端を閉じているので、雨水が透明ポケット９内に浸入することを防止または低減できる。
【００４２】
さらに、カバー本体８ａは平面的に薄く折畳可能であるので、これら複数のカバー本体８ａ，８ａ，…を厚さ方向に重ねて保管することができるので、その保管が容易であるうえに、保管スペースの節約を図ることができる。また、表示カバー８としては、透明ポケット９とネームプレート取付部１１とを省略したカバー本体８ａのみでもよい。この場合、「駐車禁止」や「工事中」等の規制関連の文字等の表示と、商品や店舗等の広告宣伝関連の文字等の表示の少なくとも一方、あるいは両者を、カバー本体８ａの外面と、表示プレート６とにそれぞれ表示してもよい。さらに、カバー本体８ａに表示プレート６の自由端（垂下端）を固定させる止め具を設けてもよい。
【００４３】
（第３の実施形態）
図８は第３の実施形態に係るパイロン装置１Ｂの全体構成を示す正面図である。このパイロン装置１Ｂは、パイロン本体であるコーン部２ｂの円錐形頂端部を含む上部に着脱可能に嵌合されて、その上部上に係止される中空筒状の嵌合部本体１３を具備している。
【００４４】
図９〜図１２にも示すように、嵌合部本体１３は、その全体を、ポリプロピレン（ＰＰ）やＰＣ，ＰＶＣ，ＥＡＶ等のプラスチックにより、例えば正面形状がほぼ中空鼓状に形成されており、これら図中、円錐台状の下半部を、パイロン２のコーン部２ｂの上部外周に、着脱可能に外嵌される嵌合部１３ａに形成し、この嵌合部１３ａの開口下端１３ａ１をほぼ全面的に開口させている。嵌合部１３ａには、その開口下端部に、図示省略の固定用ねじをねじ込ませる複数のねじ孔ｈを周方向に所要の間隔を置いて形成し、嵌合部１３ａ内に嵌入されているパイロン本体２ｂの頭部をこれら固定用ねじにより締め付けることにより、コーン部２ｂ上にパイロン装置１Ｂを固定するように構成されている。
【００４５】
嵌合部本体１３は、この嵌合部１３ａ上に、中空の偏平多角筒状の支持部１３ｂを一体に連成している。この支持部１３ｂと嵌合部１３ａとの境界部の側面には、その両者を跨るように所要形状、例えば半円状の左右一対の取付耳１３ａ２，１３ａ２を一体に突設している。支持部１３ｂは、その側面に、例えば逆三角形等所要形状の透孔１３ｂ１と、その上方の矩形等所要形状の凹部１３ｂ２をそれぞれ形成している。
【００４６】
透孔１３ｂ１は中空の支持部１３の厚さ方向に貫通し、凹部１３ｂ２は支持部１３の例えば正面と背面の両面にそれぞれ形成される。これら凹部１３ｂ２には、例えば広告宣伝等の所要の情報が記載された図示しない矩形等の貼着シール等が貼着される。
【００４７】
また、透孔１３ｂ１には、後述するように複数のパイロン装置１Ｂ，１Ｂが所要の間隔を置いて対向配置されたときに、図示省略の連結ポールの両端部を挿通して横架させ、または、図示省略の連結チェーンや連結ロープ等の策状の両端のフックを引っ掛けてこれらパイロン装置１Ｂ，１Ｂ間に、これら連結ポールや連結チェーン等を張設することにより、人の通行等を規制するように使用してもよい。さらに、透孔１３ｂ１には、例えばＳ字フック等の係止具の一端を引っ掛け、その他端に所要の物を引っ掛けることにより、所要物を吊持させることができる等多用途に使用できる。
【００４８】
支持部１３ｂは、その図中上端部を、その下端部よりも幅広に形成して円管状の第１のポール支持部１３ｂ３を形成している。第１のポール支持部１３ｂ３は、例えば円形の第１の挿通孔１３ｂ４を同心状に形成している。この第１の挿通孔１３ｂ４内には、棒体の一例である中空円筒状の表示用ポール１４が挿脱可能に挿通される。第１のポール支持部１３ｂ３は、その一側面、例えば正面側に、固定用ねじ１３ｂ５を設けており、この固定用ねじ１３ｂ５が第１の挿通孔１３ｂ４内へねじ込まれたときに、そのねじ先端（内端）が第１の挿通孔１３ｂ４に挿入されてている表示用ポール１４の側面を径方向に押圧し、第１の挿通孔１３ｂ４内に固定し、抜脱の阻止を図っている。
【００４９】
表示用ポール１４は、その軸方向両端部が一体に閉塞され、第１の挿通孔１３ｂ４から軸方向外方へ突出し、外部に露出する軸方向両端部の図中下部に、図中下方に突出する左右一対の取付凸部１４ａ，１４ｂをそれぞれ一体に突設している。これら一対の取付凸部１４ａ，１４ｂは、その両側に、図１３（Ａ）で示すように、例えば円弧状の凹部１４ｃ，１４ｄを表示用ポール１４の軸方向に沿って並設して相対的に突出させることにより形成される。
【００５０】
図８，図９，図１３に示すように、これら左右一対の取付凸部１４ａ，１４ｂには、その軸方向両端部とその中間とにおいて、取付凸部１４ａ，１４ｂの厚さ方向に貫通する第１の取付孔１４ｅをそれぞれ形成している。これら第１の取付孔１４ｅには、開閉可能の取付リング１５を着脱可能にそれぞれ装着している。
【００５１】
図１３（Ｂ）に示すように、取付リング１５は、そのほぼ全体が例えば円形に形成され、左右一対の半円リング１５ａ，１５ｂの各一端を止めビス１５ｃにより回動可能に枢着することにより、左右一対の半円リング１５ａ，１５ｂの他端部を開閉可能に構成している。また、これら半円リング１５ａ，１５ｂは、その開閉端部の重なり合う面に、係止段部１５ｄ，１５ｅをそれぞれ形成しており、これら半円リング１５ａ，１５ｂが閉じられて、これら係止段部１５ｄ，１５ｅ同士が厚さ方向に重なり合ったときに、係脱可能に係合し、取付リング１５の閉状態を保持することができる。これら係止段部１５ｄ，１５ｅの係止状態は、その係止力に抗して半円リング１５ａ，１５ｂを強く開くことにより解除させることができる。このように左右一対の半円リング１５ａ，１５ｂを開口させた状態で、その一方を第１の取付孔１４ｅに挿通し、その後半円リング１５ａ，１５ｂを閉じることにより、第１の取付孔１４ｅに取り付けることができる。
【００５２】
図８，図９に示すように、表示用ポール１４は、軸方向両端部を横方向（水平方向）両側から圧潰してほぼ縦の平坦部に形成し、この平坦部に所要大の横孔１４ｆをそれぞれ形成している。これら横孔１４ｆ，１４ｆは、後述する索条の一例である、例えば連結用チェーンの鉤状のフック等を係止するために用いられる。
【００５３】
また、表示用ポール１４は、その軸方向に所要の間隔を置いて複数の周溝１４ｇ，１４ｇ，…をそれぞれ形成している。これら周溝１４ｇ，１４ｇ，…は、表示用ポール１４の外周面を所要の深さで一周しており、風船等の紐や針金等の線状体を係止可能に巻き付けるため等に使用できる。
【００５４】
そして、図８に示すように表示用ポール１４には、上記複数の表示プレート６，６，…を着脱可能に装着する。すなわち、各表示プレート６は、その上端部６ａ（例えば図８中上端部）において、表示用ポール１４の各第１の取付孔１４ｅに対応する第２の取付孔６ｃをそれぞれ形成している。
【００５５】
これら表示プレート６側の第２の取付孔６ｃ，６ｃ，…と、表示用ポール１４側の第１の取付孔１４ｅ，１４ｅ，…には、取付リング１５がそれぞれ挿通されて取り付けられる。これにより、複数の表示プレート６が表示用ポール１４の下方へ垂下された状態で装着される。このために、これら表示プレート６に表示されている、例えば「駐車禁止」や「本日閉店」等種々の情報が表示され、広告宣伝効果の向上を図ることができる。これにより、上記第１の実施例とほぼ同様の作用効果を奏することができる。
【００５６】
さらに、図８に示すように、表示プレート６については、図中破線で示すように嵌合部本体１３の両側に及ぶ大きな表示プレート６ｘも表示することができる。また、パイロン装置１Ｂは、地面上等に設置されたパイロン２の頭部上に外嵌されて装着されたときの地面から第１のポール支持部１３ｂ３の上端までの全高が、例えば１０００ｍｍになるように形成されており、表示プレート６，６ｘが背の低い子供等からも見えるように視認性の向上が図られている。
【００５７】
また、パイロン装置１Ｂは、比較的長尺の表示用ポール１４を、嵌合部１３ａと別体かつ着脱可能に構成しているので、これらを２つに分解してコンパクトに収納できる。このために、収納スペースの節約を図ることができる。
【００５８】
さらに、図１４に示すように、複数のパイロン装置１Ｂ，１Ｂ，…を所要の間隔を置いて横方向に並置したとき、または前後方向に並置したときに、隣り合うパイロン装置１Ｂ，１Ｂの隣り合う横孔１４ｆ，１４ｆ同士と、取付耳１３ａ２，１３ａ２同士に、連結用ロープ７の一対のフック７ｂ，７ｃを着脱可能に引っ掛け、パイロン装置１Ｂ，１Ｂ間に上下２段の連結用ロープ７を架け渡すことにより、これらパイロン装置１Ｂ，１Ｂ間の人の通行の規制等を図ることが容易に可能となる。なお、この場合、上下２段の連結用ロープ７，７の一方を省略してもほぼ同様の作用効果を奏することができる。
【００５９】
（第４の実施形態）
図１５は第４の実施形態に係るパイロン装置１Ｃの縦断面を示す。このパイロン装置１Ｃは嵌合部本体１３の全体形状を、ＰＰ等の上記合成樹脂により中空のほぼ円錐台状に形成した点に特徴がある。
【００６０】
すなわち、上記第３の実施形態では、嵌合部本体１３をほぼ鼓状に形成しているが、このパイロン装置１Ｃでは、上記支持部１３ｂを省略し、ほぼ円錐台状の嵌合部１３ａの小径頂端部上に、この頂端部の直径よりも若干短い第２のポール支持部２３ｂ３を一体に直接形成し、この第２のポール支持部２３ｂ３を含む嵌合部本体１３の全体形状を中空のほぼ円錐台上に形成している点に特徴がある。
【００６１】
この第２のポール支持部２３ｂ３は、上記第１のポール支持部１３ｂ３と同様に、上記表示用ポール１４を着脱可能に挿入させる第２の挿通孔２３ｂ４を形成し、この第２の挿通孔２３ｂ４内で表示用ポール１４を固定する図示省略の固定用ねじを具備している。また、このパイロン装置１Ｃはパイロン２上に外嵌、装着されたときの全高（地上高）が例えば約１０００ｍｍになる高さに形成されている。さらに、上記第３の実施形態に係るパイロン装置１Ｂのように、透孔１３ｂ１や凹部１３ｂ２、取付耳１３ａ２，１３ａ２を嵌合部本体１３に設けてもよい。なお、このパイロン装置１Ｃは、上記支持部１３ｂを省略せずに、この支持部１３ｂと嵌合部本体１３を含む全体の形状を円錐台状に形成してもよい。
【００６２】
このパイロン装置１Ｃは、このように構成されているので、図１６に示すように複数のパイロン装置１Ｃを軸方向に積み重ねた状態で収容することができる。このために、パイロン装置１Ｃの収納作業の容易性と収納スペースの節約を図ることができる。
【００６３】
なお、上記第３，第４の実施形態に係るパイロン装置１Ｂ，１Ｃでは、半円形等所要形状の図示しない取っ手を、第１，第２のポール支持部１３ｂ３，２３ｂ３の頂端等所要の箇所に設けてもよい。これによれば、取っ手を持つことにより、パイロン装置１Ｂ，１Ｃの持ち運びが容易になる。
【００６４】
以上、本発明の幾つかの実施形態を説明したが、これらの実施形態は、例として提示したものであり、本発明の範囲を限定することは意図していない。これら新規な実施形態は、その他の様々な形態で実施されることが可能であり、本発明の要旨を逸脱しない範囲で、種々の省略、置換え、変更を行うことができる。これら実施形態やその変形は、本発明の範囲や要旨に含まれるとともに、特許請求の範囲に記載された発明とその均等の範囲に含まれる。
【符号の説明】
【００６５】
１，１Ａ，１Ｂ，１Ｃ…パイロン装置、２…パイロン、２ａ…ベース、２ｂ…コーン部（本体部）、２ｃ…外向フランジ、２ｄ…頭部、３…保持リング（リング）、３ａ…リング本体、３ｂ…リング内周部、４…アーム、５…小リング（係止部）、６…表示プレート（表示部）、６ｃ…第２の取付孔、７…連結用ロープ（索条体）、８…表示カバー、８ａ…カバー本体、９…透明ポケット、１０…表示物、１１…ネームプレート取付部、１２…三角コーナ、ｒａ，ｒｂ…段部、１３…嵌合部本体、１３ａ１…開口下端、１３ａ２…取付耳、１３ｂ３，２３ｂ３…第１，第２のポール支持部、１３ｂ４，２３ｂ４…第１，第２の挿通孔、１３ｂ５…固定用ねじ、１４…表示用ポール、１４ｅ…第１の取付孔、１４ｆ…横孔、１５…取付リング。
【図１】
0005849260.tif 000002
【図２】
0005849260.tif 000003
【図３】
0005849260.tif 000004
【図４】
0005849260.tif 000005
【図５】
0005849260.tif 000006
【図６】
0005849260.tif 000007
【図７】
0005849260.tif 000008
【図８】
0005849260.tif 000009
【図９】
0005849260.tif 000010
【図１０】
0005849260.tif 000011
【図１１】
0005849260.tif 000012
【図１２】
0005849260.tif 000013
【図１３】
0005849260.tif 000014
【図１４】
0005849260.tif 000015
【図１５】
0005849260.tif 000016
【図１６】
0005849260.tif 000017